(57)【要約】      （修正有）【課題】機械加工品を傷付け難くするバリ取り工具を提供する。【解決手段】丸棒形状にして先端側に刃部３を設けていて、回転中の刃部の周面で機械加工品のバリを削り取るバリ取り工具において、刃部の先端側に刃のない無刃端部４を設け、無刃端部を刃部と同心の回転体形状にし、無刃端部と刃部の周面を滑らかに接続し、無刃端部の外面を滑らかな面にしている。また、無刃端部は、先細の形状にし、径を刃部の先端の径以下にしている。また、刃部は先細の円錐台形状にし、無刃端部は、頂点を丸めた先細の円錐形状又は頂面の周縁を丸めた先細の円錐台形状にし、最大径を刃部の最小径と同一にしている。また、手持ち可搬式の回転駆動具に装着して手作業のバリ取りに使用する手作業用にしている。【選択図】図１
0003188346.tif 000002
【実用新案登録請求の範囲】
【請求項１】
丸棒形状にして先端側に刃部を設けていて、回転中の刃部の周面で機械加工品のバリを削り取るバリ取り工具において、
刃部の先端側に刃のない無刃端部を設け、無刃端部を刃部と同心の回転体形状にし、無刃端部と刃部の周面を滑らかに接続し、無刃端部の外面を滑らかな面にしていることを特徴とするバリ取り工具。
【請求項２】
無刃端部は、先細の形状にし、径を刃部の先端の径以下にしていることを特徴とする請求項１に記載のバリ取り工具。
【請求項３】
刃部は、先細の円錐台形状にし、
無刃端部は、頂点を丸めた先細の円錐形状又は頂面の周縁を丸めた先細の円錐台形状にし、最大径を刃部の最小径と同一にしていることを特徴とする請求項１又は２に記載のバリ取り工具。
【請求項４】
バリ取り工具は、手持ち可搬式の回転駆動具に装着して手作業のバリ取りに使用する手作業用にしていることを特徴とする請求項１、２又は３に記載のバリ取り工具。
【考案の詳細な説明】
【技術分野】
【０００１】
本考案は、機械加工品のバリを削り取るのに用いるバリ取り工具に関する。
【背景技術】
【０００２】
バリ取り工具は、ロータリーバー(rotary burr)とも言われる。機械加工品のバリは、かえり、へた、まくれ、鋳ばりとも言われる。バリ取り工具は、丸棒形状にし、先端側に刃部を、反対側の基端側に柄部を設けている。
【０００３】
機械加工品のバリ取りを手作業で行う場合、バリ取り工具を電気ドリルや空気ドリルのような手持ち可搬式の回転駆動具に装着する。バリ取り工具は、柄部を回転駆動具前端のチャックに挿入して把持し、刃部をチャックの前方に突出する。作業者は、回転駆動具を手で持ち駆動して機械加工品に向けて移動する。そして、回転駆動具前側の回転中のバリ取り工具は、刃部の周面を機械加工品のバリに接触し、回転中の刃部でバリを機械加工品から削り取る。バリが機械加工品の縁や稜に沿って発生しているときには、回転駆動具前側の回転中のバリ取り工具を機械加工品の縁や稜に沿って移動させる。回転中のバリ取り工具を移動させつつ、刃部の周面で機械加工品の縁や稜のバリを削り取っていく。
【先行技術文献】
【特許文献】
【０００４】
【特許文献１】実開平５−３０７号公報
【特許文献２】実開昭６３−１３３９５７号公報
【考案の概要】
【考案が解決しようとする課題】
【０００５】
［課  題］
機械加工品のバリ取りを行う際、作業者が誤ってバリ取り工具の刃部を機械加工品のバリのない部分に接触させてしまうことがある。回転中又は停止中のバリ取り工具の刃部が機械加工品のバリのない部分に接触すると、機械加工品に傷を付けることになる。
特に、バリ取り工具は、先端も刃部になっている。バリ取り工具の先端即ち刃部の先端、例えば尖端や角、が機械加工品の表面を引っ掻くと、引掻き傷になる。引掻き傷付きの機械加工品は、不良品ということになる。
バリ取り工具は、機械加工品を傷付け難いことが望まれる。
【０００６】
［着  想］
バリ取り工具は、刃部の周面で機械加工品のバリを削り取る。先端ではバリを削り取らない。
そこで、バリ取り工具の先端即ち刃部の先端は、刃をなくして無刃端部にし、尖端や角をなくして滑らかな外面にする。
換言すると、バリ取り工具は、刃部の先端側に無刃端部を設け、無刃端部を刃部と同心の回転体形状にし、無刃端部の周面と刃部の周面を滑らかに接続し、無刃端部の外面を滑らかな面にすることにした。外面が滑らかな無刃端部は、機械加工品に接触しても傷を付け難い。
【０００７】
また、無刃端部は、先細の形状にし、径を刃部の先端の径以下にすることにした。このような無刃端部は、機械加工品に接触し難い。
【課題を解決するための手段】
【０００８】
１．丸棒形状にして先端側に刃部を設けていて、回転中の刃部の周面で機械加工品のバリを削り取るバリ取り工具において、
刃部の先端側に刃のない無刃端部を設け、無刃端部を刃部と同心の回転体形状にし、無刃端部と刃部の周面を滑らかに接続し、無刃端部の外面を滑らかな面にしていることを特徴とする。
２．上記１のバリ取り工具において、
無刃端部は、先細の形状にし、径を刃部の先端の径以下にしていることを特徴とする。
３．上記１又は２のバリ取り工具において、
刃部は、先細の円錐台形状にし、
無刃端部は、頂点を丸めた先細の円錐形状又は頂面の周縁を丸めた先細の円錐台形状にし、最大径を刃部の最小径と同一にしていることを特徴とする。
４．上記１、２又は３のバリ取り工具において、
バリ取り工具は、手持ち可搬式の回転駆動具に装着して手作業のバリ取りに使用する手作業用にしていることを特徴とする。
【考案の効果】
【０００９】
バリ取り工具は、外面が滑らかな無刃端部が機械加工品に接触しても、機械加工品を傷付け難い。
【図面の簡単な説明】
【００１０】
【図１】本考案の実施形態におけるバリ取り工具の側面図。
【図２】同バリ取り工具の拡大正面図。
【図３】同バリ取り工具を手持ち可搬式の回転駆動具に装着した状態を示す側面図。
【考案を実施するための形態】
【００１１】
実施形態のバリ取り工具は、図１と図２に示すように、丸棒形状にし、基端から先端にかけて、柄部１、連結部２、刃部３と無刃端部４を連続して設けている。連結部２は、材質の異なる柄部１と刃部３を連結している。刃部３と無刃端部４は、材質が同一の一体物にしている。バリ取り工具は、実施例では、全長を約５０ｍｍ、最大径を約６ｍｍにしている。
【００１２】
柄部１は、均等径の丸棒形状にしている。そして、合金鋼製にしている。柄部１の基端は、バリ取り工具の基端を構成している。
【００１３】
連結部２は、２段径の丸棒形状にし、小径部と大径部を柄部１と同心にしている。小径部は、柄部１側に配置し、柄部１より大径にしている。
【００１４】
刃部３は、先細の円錐台形状にし、円錐面の周面に多数本の螺旋状の溝を形成して多数本の切り刃を螺旋状に設けている。そして、超硬合金の炭化タングステン製にしている。刃部３の基端の径、刃部３の最大径は、連結部２の大径部の径と同一にしている。刃部３は、柄部１、連結部２と同心にしている。
【００１５】
無刃端部４は、頂点を球面状に丸めた先細の円錐形状にし、球面状の外面と円錐面状の外面を滑らかに接続している。無刃端部４は、刃部３と同心の回転体形状にしている。無刃端部４の外面は、滑らかな曲面にしている。無刃端部４の基端の径、無刃端部４の最大径は、刃部３の先端の径、刃部３の最小径と同一にしている。無刃端部４の周面の円錐面は、刃部３の周面の円錐面と同一の傾斜角度にしている。無刃端部４の周面は、刃部３の周面と滑らかに接続している。無刃端部４は、刃部３と同一の超硬合金の炭化タングステン製にしている。無刃端部４の先端は、バリ取り工具の先端を構成している。
【００１６】
このバリ取り工具１〜４を装着する手持ち可搬式の回転駆動具は、図３に示すように、電気ドリルにしている。電気ドリルは、本体１１に電動機を内蔵している。本体１１は、前端にチャック１２を取り付け、下側に握り部１３を設けている。握り部１３は、蓄電池を内蔵し、前側上部に押釦スイッチ１４を配置している。作業者は、片手で握り部１３を握って電気ドリル１１〜１４を持ち、その片手の指で押釦スイッチ１４を押す。すると、蓄電池から電動機に給電されて電動機が回転駆動し、チャック１２が回転する。チャック１２に装着されたバリ取り工具１〜４が回転する。
【００１７】
機械加工品のバリ取りを手作業で行う場合、バリ取り工具１〜４を電気ドリル１１〜１４に装着する。バリ取り工具は、柄部１を電気ドリルのチャック１２に挿入して把持し、無刃端部４と刃部３をチャック１２の前方に突出する。
【００１８】
作業者は、電気ドリル１１〜１４を手で持ち駆動して機械加工品に向けて移動する。そして、電気ドリル前側の回転中のバリ取り工具は、刃部３の周面を機械加工品のバリに接触し、回転中の刃部３でバリを機械加工品から削り取る。バリが機械加工品の縁や稜に沿って発生しているときには、回転中のバリ取り工具１〜４を機械加工品の縁や稜に沿って移動させる。バリ取り工具１〜４を移動させつつ、回転中の刃部３の周面で機械加工品の縁や稜のバリを削り取っていく。
【００１９】
もし、作業者が誤ってバリ取り工具１〜４の先端部、無刃端部４を機械加工品に接触させても、無刃端部４は、刃がなく、尖端や角がなく、外面が滑らかな面であるので、機械加工品に傷が生じ難い。無刃端部４が機械加工品の表面を引っ掻いても、引掻き傷が生じ難い。
バリ取り工具１〜４は、回転中であっても、停止中であっても、機械加工品に傷を付け難い。
【００２０】
［変形例］
本考案は、上記の実施形態に限定されない。次のような変形が例示される。
１．上記の実施形態において、無刃端部４は、頂点を球面状に丸めた先細の円錐形状にしているが、半球体形状、半だ円体形状、回転放物体形状又はその他の回転体形状にする。
２．上記の実施形態において、無刃端部４の滑らかな外面は、曲面のみで構成しているが、曲面と平面で構成する。例えば、無刃端部４は、頂面の周縁を丸めた先細の円錐台形状にし、頂面の中心部を平面にして頂面の周縁部と周面を曲面にする。
３．上記の実施形態において、刃部３は、先細の円錐台形状にしているが、先端部と基端部が中央部より細い炎形状、均等径の丸棒形状、先太の円錐台形状又はその他の回転体形状にする。
４．上記の実施形態において、手持ち可搬式の回転駆動具は、蓄電池内蔵式の電気ドリル１１〜１４にしているが、電気を外部から供給する電気ドリルにする。又は、空気ドリルにする。
５．上記の実施形態において、バリ取り工具１〜４は、手持ち可搬式の回転駆動具１１〜１４に装着して手作業のバリ取りに使用するが、ロボットのような自動機械に装着して自動機械によるバリ取り作業に使用する。
【符号の説明】
【００２１】
１〜４  バリ取り工具
１  柄部
２  連結部
３  刃部
４  無刃端部
１１〜１４  手持ち可搬式の回転駆動具、電気ドリル
１１  本体
１２  チャック
１３  握り部
１４  押釦スイッチ
【図１】
0003188346.tif 000003
【図２】
0003188346.tif 000004
【図３】
0003188346.tif 000005